(57)【特許請求の範囲】
【請求項１】
粘着テープのタブ製造装置、切断機および旋回装置と、前記粘着テープが貼付される物品を搬送する搬送装置とを備えた粘着テープの製造貼付システムであって、
前記タブ製造装置は、粘着面と非粘着面とを有する幅広帯状の粘着テープを長手方向に搬送しながら該粘着テープの一側縁にタブを形成し、
前記旋回装置は、所定の周速度で回転するサクションローラに、前記粘着テープを吸着する複数のノズルを有し前記サクションローラの法線のまわりに旋回自在な第１サクションブロックと前記粘着テープを吸着する複数のノズルを有し前記法線のまわりに旋回しない第２サクションブロックとを交互に複数個備え、前記タブを有する幅広の粘着テープの前記非粘着面を吸引して前記第１サクションブロック上に幅広の粘着テープの先端を吸着し、
前記切断機は、前記幅広の粘着テープの幅方向に長い刃先を有する刃物と該刃物を取り付けるカッタローラとを有し、前記刃物が前記第１サクションブロック上の前記粘着テープを短い粘着テープに切断し、
前記旋回装置は、前記切断後に前記法線のまわりに前記第１サクションブロックを旋回させることで、前記短い粘着テープの姿勢を旋回させた後、前記第１サクションブロック上の短い粘着テープを前記搬送装置上の物品の表面に押し付けて前記粘着テープを物品に貼付する粘着テープの製造貼付システム。
【請求項２】
粘着テープのタブ製造装置と、切断機と、旋回装置とを備えた粘着テープの製造貼付システムであって、
前記タブ製造装置は、粘着面と非粘着面とを有する幅広帯状の粘着テープを長手方向に搬送しながら該粘着テープの一側縁にタブを形成し、
前記旋回装置は、所定の周速度で回転するサクションローラと、前記粘着テープを吸着する複数のノズルを備え、前記サクションローラの法線方向の周りに旋回自在な第１サクションブロックと、前記粘着テープを吸着する複数のノズルを備え前記法線のまわりに旋回しない第２サクションブロックとを交互に複数個有し、前記タブを有する幅広の粘着テープの前記非粘着面を吸引して、前記第１サクションブロック上に前記幅広の粘着テープを吸着し、
前記切断機は、前記幅広の粘着テープの幅方向に長い刃先を有する複数個の刃物を保持する１つのカッタローラとを有し、
前記複数個の刃物が、前記少なくとも１つの第１サクションブロック上に位置する前記幅広の粘着テープを短い粘着テープになるように切断し、
前記旋回装置は、前記切断後に前記法線のまわりに前記第１サクションブロックを旋回させることにより、前記短い粘着テープの姿勢を旋回させ、
前記切断機の回転半径をＸ、前記サクションローラの回転半径をＹ、前記第１サクションブロックの数をＮ、前記刃物の数をＭとするとＮ＝Ｍ・Ｙ／Ｘという条件を満たすように前記Ｍ，Ｎ，Ｘ，Ｙが設定されている製造貼付システム。
【請求項３】
請求項２において、
前記粘着テープが貼付される物品を搬送する搬送装置を更に備え、
前記旋回装置は前記短い粘着テープの姿勢を旋回させた後、前記第１サクションブロック上の短い粘着テープを前記搬送装置上の物品の表面に押し付けて前記粘着テープを物品に貼付する粘着テープの製造貼付システム。
【請求項４】
請求項１もしくは３において、
前記搬送装置は回転体の外周面に前記物品を吸着しており、前記サクションローラと前記回転体とが互いに外接するように回転して、前記回転体の外周面に吸着されている物品に前記粘着テープを貼付するようにした粘着テープの製造貼付システム。
【請求項５】
請求項４において、
前記物品は折り畳まれた着用物品であり、該折り畳まれた着用物品の折り状態が崩れないように前記着用物品の表面を所定の部材で押さえている状態で、前記粘着テープを前記着用物品に貼付するようにした粘着テープの製造貼付システム。
【請求項６】
請求項５において、
前記搬送装置は前記着用物品の長手方向が前記回転体の周方向に沿うように、吸着保持すると共に、この状態から、前記着用物品が短くなるように折り畳む折り畳み部材を備え、該折り畳み部材が前記着用物品を押さえる前記所定の部材を構成している粘着テープの製造貼付システム。
【発明の詳細な説明】
【０００１】
【発明の属する技術分野】
本発明は主として着用物品などの製品やその包装に貼付する粘着テープの製造貼付システムに関するものである。
【０００２】
【発明の背景】
図５（ｂ）の着用物品Ｎなど製品の折り畳み状態を固定するためには、粘着材を設けたテープＴが用いられている。かかるテープＴを引き剥がし易くするために、テープＴにはタブＴｂという折り返しが設けてある。このタブ付のテープＴを製作した後に、着用物品Ｎ上にタブ付のテープＴを貼付するのであるが、コンパクトな製造整備で、連続的に生産することは重要である。
【０００３】
したがって、本発明の主目的はコンパクトな製造設備で、かつ、連続的に粘着テープを製造し、貼付し得るシステムを提供することである。
【０００４】
【課題を解決するための手段】
前記目的を達成するために、本第１発明は、粘着テープのタブ製造装置、切断機および旋回装置と、前記粘着テープが貼付される物品を搬送する搬送装置とを備えた粘着テープの製造貼付システムであって、前記タブ製造装置は、粘着面と非粘着面とを有する幅広帯状の粘着テープを長手方向に搬送しながら該粘着テープの一側縁にタブを形成し、前記旋回装置は、所定の周速度で回転するサクションローラに、前記粘着テープを吸着する複数のノズルを有し前記サクションローラの法線のまわりに旋回自在な第１サクションブロックと前記粘着テープを吸着する複数のノズルを有し前記法線のまわりに旋回しない第２サクションブロックとを交互に複数個備え、前記タブを有する幅広の粘着テープの前記非粘着面を吸引して前記第１サクションブロック上に幅広の粘着テープの先端を吸着し、前記切断機は、前記幅広の粘着テープの幅方向に長い刃先を有する刃物と該刃物を取り付けるカッタローラとを有し、前記刃物が前記第１サクションブロック上の前記粘着テープを短い粘着テープに切断し、前記旋回装置は、前記切断後に前記法線のまわりに前記第１サクションブロックを旋回させることで、前記短い粘着テープの姿勢を旋回させた後、前記第１サクションブロック上の短い粘着テープを前記搬送装置上の物品の表面に押し付けて前記粘着テープを物品に貼付することを特徴とする。
【０００５】
一方、本第２発明は、粘着テープのタブ製造装置と、切断機と、旋回装置とを備えた粘着テープの製造貼付システムであって、前記タブ製造装置は、粘着面と非粘着面とを有する幅広帯状の粘着テープを長手方向に搬送しながら該粘着テープの一側縁にタブを形成し、前記旋回装置は、所定の周速度で回転するサクションローラと、前記粘着テープを吸着する複数のノズルを備え、前記サクションローラの法線方向の周りに旋回自在な第１サクションブロックと、前記粘着テープを吸着する複数のノズルを備え前記法線のまわりに旋回しない第２サクションブロックとを交互に複数個有し、前記タブを有する幅広の粘着テープの前記非粘着面を吸引して、前記第１サクションブロック上に前記幅広の粘着テープを吸着し、前記切断機は、前記幅広の粘着テープの幅方向に長い刃先を有する複数個の刃物を保持する１つのカッタローラとを有し、前記複数個の刃物が、前記少なくとも１つの第１サクションブロック上に位置する前記幅広の粘着テープを短い粘着テープになるように切断し、前記旋回装置は、前記切断後に前記法線のまわりに前記第１サクションブロックを旋回させることにより、前記短い粘着テープの姿勢を旋回させ、前記切断機の回転半径をＸ、前記サクションローラの回転半径をＹ、前記第１サクションブロックの数をＮ、前記刃物の数をＭとするとＮ＝Ｍ・Ｙ／Ｘという条件を満たすように前記Ｍ，Ｎ，Ｘ，Ｙが設定されていることを特徴とする。
【０００６】
これらの発明において、前記搬送装置は着用物品の長手方向が前記回転体の周方向に沿うように、吸着保持すると共に、この状態から、前記着用物品が短くなるように折り畳む折り畳み部材を備え、該折り畳み部材が前記着用物品を押さえている状態で前記粘着テープを前記着用物品に貼付するのが好ましい。
【０００７】
本発明において取り扱われる物品としては、ナプキン、使い捨てオムツおよびパンツ等の着用物品の製品またはその包装物である。
【０００８】
なお、本第１発明においても、前記切断機のカッタローラの回転は、旋回装置のサクションローラの整数倍が好ましく、２以上の整数倍にすればカッタローラの小型化を図り得る。
【０００９】
【発明の実施の形態】
以下、本発明の一実施形態を図面にしたがって説明する。
本システムは、図１のタブ製造装置１、図２の切断機２、旋回装置３、図３の搬送装置４を備えている。
【００１０】
図１の前記タブ製造装置１は、粘着面ｆ１と非粘着面ｆ２とを有する幅広帯状の粘着テープＴ１を長手方向Ｌに搬送しながら該粘着テープＴ１の一側縁Ｔｅを連続的に内側に折り込んで前記粘着面ｆ１の一部が互いに重なって接着されるように折り畳んでタブＴｂを形成する。該タブ製造装置１は、周知のセーラボックスを用いることができる。なお、タブ製造装置１は図２のように、折り込んだ部分を挟み付けて粘着させるローラ１０を備えている。
なお、粘着テープＴ１は、所定の長さに切断され連続的に内側に折り込まれてもよい。また、粘着テープＴ１に別のテープを接着させることにより、タブＴｂが形成されてもよい。
【００１１】
図２の前記旋回装置３は、所定の周速度で回転するサクションローラ３０に、該サクションローラ３０の法線Ｃのまわりに旋回自在な複数個の第１サクションブロック３１と旋回しない第２サクションブロック３２とを備え、前記タブＴｂを有する幅広の粘着テープＴ１の前記非粘着面ｆ２を吸引して前記第１サクションブロック３１上に幅広の粘着テープＴ１の先端を吸着する。前記第１および第２サクションブロック３１，３２は粘着テープＴ１を吸着するための多数のノズル３０ａを備えている。なお、図示を簡単にするために、ノズル３０ａは一部のみを図示している。また、旋回装置３の詳しい構造は後述する。
【００１２】
図３の前記切断機２は、前記幅広の粘着テープＴ１の幅方向に長い刃先を有する刃物２１と該刃物２１を取り付けるカッタローラ２０とを有し、前記刃物２１の刃先が前記第１サクションブロック３１と同じ周速度で回転するのが好ましく、刃物２１の刃先が前記第１サクションブロック３１に当接することで、前記第１サクションブロック３１上の前記粘着テープＴ１を図１のように短い粘着テープ（以下「被着テープ」という。）Ｔに切断する。前記被着テープＴは長方形であり、切断機２により切断された辺は隣接する辺よりも長い。
【００１３】
なお、図２の前記カッタローラ２０とサクションローラ３０とは互いに反対方向に回転する。また、カッタローラ２０の回転数はサクションローラ３０の回転数のたとえば３倍に設定されており、これにより、カッタローラ２０の外径を小さくして、システムの小型化が図られている。
以下に、切断機２の回転半径とサクションローラ３０の回転半径との関係について説明する。図２に示すように、切断機２の回転半径をＸとし、サクションローラ３０の回転半径をＹとする。切断機２の回転半径Ｘとは、刃物２１の刃先からカッタローラ２０の回転中心までの距離である。なお、切断機２の使用により刃先が変化するが、その変化は、切断機２の回転半径Ｘに比べ大変小さいため、無視することができる。
また、サクションローラ３０が有するサクションブロック３１の個数をＮとすると、本システムでは、Ｎ＝Ｙ／Ｘという関係がある。ここで、Ｎ、Ｙ、およびＸは、自然数である。
【００１４】
前記旋回装置３は、前記切断後に前記法線Ｃのまわりに前記第１サクションブロック３１を90°旋回させることで、図１および図３のように、前記被着テープＴの姿勢を90°旋回させた後、前記第１サクションブロック３１上の被着テープＴを前記搬送装置４上の着用物品Ｎの表面に押し付けて前記被着テープＴを着用物品Ｎに貼付する。
なお、旋回させる角度は、着用物品に被着テープＴを貼付する角度に対応する。必要に応じて、サクションブロック３１を旋回するためのカムの形状を変更することにより、被着テープＴの姿勢を90°以外の45°や60°等に旋回させることが可能である。
【００１５】
前記旋回装置３の詳細な構造について説明する。
図２の前記旋回装置３は、回転体３３の外周に前記第１サクションブロック３１と第２サクションブロック３２とを備えている。前記第２サクションブロック３２は回転体３３に固定されている。前記回転体３３は回転軸３４と一体に回転する。なお、切断機２のカッタローラ２０と旋回装置３のサクションローラ３０とは同じ動力源により同期して回転されている。
【００１６】
図４に示す前記回転軸３４の外周には、円筒カム３５が回転しないように設けてある。円筒カム３５は固定円板３６を介してフレームに固定されており、該円筒カム３５にはカム溝３５ａが形成してある。なお、固定円板３６には前記ノズル３０ａ（図２）に連なる吸引孔３６ａが形成してある。
【００１７】
前記第１サクションブロック３１はブロック本体３１ａの内周部にコロ３１ｂを備えている。前記ブロック本体３１ａは法線Ｃを中心に回転体３３および固定円板３６に回転自在に取り付けられている。一方、前記コロ３１ｂはブロック本体３１ａに対して偏心していると共にカム溝３５ａに沿って周方向に移動する。これにより、第１サクションブロック３１は、サクションローラ３０が１回転する間に、法線Ｃを中心に図３のように90°回転した後、反対方向に90°回転して元の姿勢に戻る。
【００１８】
前記搬送装置４は、たとえば、回転ドラム４０の外周において図５（ａ）の着用物品Ｎを図５（ｂ）のように折り畳む折り畳み装置を構成している。図３の前記搬送装置４は回転ドラム４０の外周面に前記着用物品Ｎを吸着している。前記サクションローラ３０と前記回転ドラム４０とは互いに外接するように回転して、前記回転ドラム４０の外周面に吸着されている着用物品Ｎに前記被着テープＴを貼付する。
【００１９】
前記搬送装置４は、第１および第２折り込みバー（部材）４１，４２と、押さえ板４３とを備えており、押さえ板４３で着用物品Ｎを押さえた後に、第１折り込みバー４１が着用物品Ｎの一側部を折り畳み、更に、第２折り込みバー４２が着用物品Ｎの他側部を折り畳んで、着用物品Ｎを折り畳み状態（図５（ｂ））にする。
第２折り込みバー４２は、前記折り畳まれた着用物品Ｎの折り状態が崩れないように前記着用物品Ｎを上から押さえた状態に保つ。前記旋回装置３および搬送装置４は、前記第２折り込みバー４２で着用物品Ｎを上から押さえてバラけないようにしたままの状態で前記被着テープＴを前記着用物品Ｎに貼付する。
【００２０】
つぎに、本システムを用いたテープの製造貼付方法について説明する。
図１に示すように、粘着テープＴ１はタブ製造装置１により、その一側縁ＴｅにタブＴｂが形成される。この際、幅の狭い細い短冊状の（粘着）テープにタブを形成するのではなく、幅広の長い粘着テープＴ１にタブＴｂを連続的に形成するので効率良くタブＴｂを形成することができる。
【００２１】
前記タブＴｂの形成後、切断機２が粘着テープＴ１を二点鎖線に沿って幅方向に横断するように切断する。この切断の直後、被着テープＴは旋回装置３上において90°旋回し、その姿勢を横姿勢から縦姿勢に変化させる。
ここで、前記被着テープＴの切断と姿勢変更を図３の１つの旋回装置３上において行うので、切断するためカッタ台と姿勢変更のためのターンドラムとを別々に設けるのと異なり、装置がコンパクトになる。
つまり、本システムでは、カッタローラ２０をサクションローラ３０の近傍に位置させることができる。この近傍とは、カッタローラ２０とサクションローラ３０とが、１つの動力源で駆動させることができる距離をいう。また、カッタローラ２０とサクションローラ３０とが、近接しているため、ギアによって動力を伝達することが可能である。ベルトにより動力を伝達するものに比べて、正確にカッタローラ２０の回転とサクションローラ３０の回転のタイミングをとることができる。
【００２２】
前記姿勢変更後、前記被着テープＴは着用物品Ｎの外面Ｆに貼付され、折り畳まれた着用物品Ｎの折り畳み状態が保持されて、着用物品Ｎができ上がる。
ここで、着用物品Ｎの折り畳み状態が崩れ（バラけ）ないように、着用物品Ｎを折り畳むための第２折り込みバー４２によって着用物品Ｎを上から押さえるので、回転ドラム４０上で着用物品Ｎに被着テープＴを貼付するにもかかわらず、着用物品Ｎの折り畳み状態が崩れるおそれがない。
【００２３】
また、着用物品Ｎを折り畳む搬送装置４上において、被着テープＴを着用物品Ｎの上に貼付するから、搬送の経路に無駄がなく、したがって、全体のコンパクト化を図り得る。
【００２４】
ところで、サクションローラ３０の回転数を増加させずに、単位時間当たりの被着テープＴの生産数量を多くするためには、サクションブロック３１の個数Ｎを増やせばよい。しかし、サクションローラ３０の回転半径Ｙは、被着テープＴを引き渡す装置、たとえば搬送装置４からの制約を受け、また、切断機２の回転半径Ｘは、回転系からの制約により２０ｍｍよりも小さくすることは一般に難しい。
このような問題を解決するために、切断機２の回転半径Ｘを２０ｍｍ以上にし、図６の変形例のようにカッタローラ２０に２つ以上の刃物２１を設けるのが好ましい。カッタローラ２０が有する刃物２１の個数をＭとすると、本変形例では、サクションブロック３１の個数Ｎが、Ｎ＝Ｍ・Ｙ／Ｘという関係を持つ。ここで、Ｍは２以上の自然数である。カッタローラ２０が複数の刃物２１を有するので、サクションローラ３０の回転数を増加させることなく、単位時間当たりの被着テープＴの生産数量を多くすることができる。また、カッタローラ２０が複数の刃物２１を有するため、カッタローラ２０の周上に複数の刃物２１をバランス良く配置することができ、刃物２１が１つの場合に比べ、カッタローラ２０に回転むらが起こりにくい。
【００２５】
以上のとおり、図面を参照しながら好適な実施形態を説明したが、当業者であれば、本明細書を見て、自明な範囲で種々の変更および修正を容易に想定するであろう。
たとえば、旋回装置３によるテープの旋回角度は90°以外に45°でもよい。また、搬送装置４はドラムに沿って着用物品Ｎを搬送するものである必要はない。また、搬送装置４は着用物品Ｎを折り畳む装置である必要もない。さらに、着用物品Ｎは２つ折りや４つ折りなどであってもよい。
したがって、そのような変更および修正は、請求の範囲から定まる本発明の範囲内のものと解釈される。
【００２６】
【発明の効果】
以上説明したように、本発明によれば、幅広の粘着テープの原反の一側縁にタブを形成した後、このテープを切断するからタブ付の小さな短い粘着テープを連続的に効率良く生産できる。
しかも、前記小さな短い粘着テープを切断したサクションブロックを旋回させて粘着テープの姿勢を変更させるから、切断と旋回を各々別のベース上で行うよりも装置がコンパクトになる。
さらに、切断機と旋回装置のローラ同士が互いに接近しているので、２つのローラを同じ駆動源で精度良く容易に同期回転させることができる。
【００２７】
また、請求項２の発明によれば、カッタローラに複数の刃物を設けたので、サクションローラの回転数を増加させることなく、単位時間当たりの被着テープの生産数を増加させることができると共に、カッタローラの回転ムラも生じにくくなる。
【００２８】
また、旋回装置上の短い粘着テープを折り畳み装置上の物品に貼付するようにすれば、粘着テープの切断・折り畳み・貼付という３つの工程を３つの近接したローラによって行うことができる。したがって、システムがより一層コンパクトになる。
【００２９】
また、折り畳まれた着用物品を表面から部材で押さえた状態で粘着テープを貼付すれば、折り畳まれた状態が崩れるおそれがない。
【図面の簡単な説明】
【図１】本発明の一実施形態にかかる粘着テープの製造・貼付方法を示す概略模式図である。
【図２】旋回装置および切断機の概略断面図である。
【図３】本粘着テープの製造貼付システムを示す概略斜視図である。
【図４】旋回装置の縦断面図である。
【図５】着用物品を示す斜視図である。
【図６】旋回装置および切断機の他の例を示す概略断面図である。
【符号の説明】
１：タブ製造装置
２：切断機
２０：カッタローラ
２１：刃物
３：旋回装置
３０：サクションローラ
３１：（第１）サクションブロック
４：搬送装置
４２：第２折り込みバー（部材）
Ｆ：表面
Ｎ：着用物品
Ｔ：被着テープ
Ｔｂ：タブ
【図１】
0004540819.tif 000002
【図２】
0004540819.tif 000003
【図３】
0004540819.tif 000004
【図４】
0004540819.tif 000005
【図５】
0004540819.tif 000006
【図６】
0004540819.tif 000007